(57)【要約】  エコー及び雑音の適応制御の為の方法（５００）及び装置（１００）である。通信装置又は電子デバイスへの入力（１４０）で信号が受信される。この信号の背景雑音を判定する。雑音抑圧及びエコーキャンセルの命令が、この信号の背景雑音に基づいて適応的に判定される（１１０）。雑音抑圧（２３０）及びエコーキャンセル（２２０）の命令を適応的に判定する工程は、背景雑音を少なくとも一つのしきい値と比較する工程と、背景雑音がその少なくとも一つのしきい値を下回る場合に信号に対して雑音抑圧に先立ちエコーキャンセルを行う工程と、背景雑音がその少なくとも一つのしきい値を上回る場合に信号に対してエコーキャンセルに先立ち雑音抑圧を行う工程とにより行われる。
2007518291.tif 000002
【特許請求の範囲】
【請求項１】
通信装置におけるエコー及び雑音の制御の方法であって、
前記通信装置への入力で信号を受信する工程と、
同信号中の背景雑音を判定する工程と、
同信号中の背景雑音に基づいて雑音抑圧及びエコーキャンセルの命令を適応的に判定する工程と、
を含む方法。
【請求項２】
請求項１に記載の方法であって、雑音抑圧及びエコーキャンセルの命令を適応的に判定する前記工程が、
前記背景雑音を少なくとも一つのしきい値と比較する工程と、
前記背景雑音が前記少なくとも一つのしきい値を下回る場合に前記信号に対して雑音抑圧に先立ちエコーキャンセルを行う工程と、
前記背景雑音が前記少なくとも一つのしきい値を上回る場合に前記信号に対してエコーキャンセルに先立ち雑音抑圧を行う工程と、
を更に含む方法。
【請求項３】
前記通信装置の前記入力で所望の入力が受信されなかったときは、前記背景雑音は推定された雑音レベルに基づくものである請求項２に記載の方法。
【請求項４】
請求項２に記載の方法であって、雑音抑圧及びエコーキャンセルの前記命令を適応的に判定する前記工程が、
前記背景雑音が前記少なくとも一つのしきい値の第１のしきい値を下回る場合に、前記信号に対して雑音抑圧に先立ちエコーキャンセルを行う工程と、
前記背景雑音が前記少なくとも一つのしきい値の第２のしきい値を上回る場合に、前記信号に対してエコーキャンセルに先立ち雑音抑圧を行う工程と、を更に含む方法。
【請求項５】
エコーキャンセルにおける雑音抑圧の非線形効果の損失よりも前記環境騒音を抑圧する効果が大きいときには、前記第２のしきい値が雑音しきい値に基づいて判定される請求項４に記載の方法。
【請求項６】
前記環境騒音を雑音抑圧する効果よりもエコーキャンセルにおける雑音抑圧の非線形効果の損失が大きいときには、前記第１のしきい値が雑音しきい値に基づいて判定される請求項４に記載の方法。
【請求項７】
電子デバイスであって、
受信信号を受信するよう構成された音声入力と、
出力信号を出力するよう構成された音声出力と、
送信信号を送信するよう構成されたトランシーバと、
前記音声入力と前記音声出力と前記トランシーバとに結合されたエコー及び雑音の適応制御システムと、を備え、前記エコー及び雑音の適応制御システムには、
エコーキャンセラと、
雑音抑圧装置と、があり、
前記エコー及び雑音の適応制御システムが、所望の信号を生成する為に、前記受信信号の所定の量の雑音に基づいて、エコーキャンセル及び雑音抑圧の命令を適応的に判定するよう構成されており、
前記エコー及び雑音の適応制御システムが更に、前記所望の信号を前記トランシーバに送るよう構成されている、電子デバイス。
【請求項８】
請求項７に記載の電子デバイスであって、前記エコーキャンセラが、
適応フィルタと、
最小二乗平均適応制御及びダブルトーク検出器と、
キャンセル点と、を備えた電子デバイス。
【請求項９】
請求項７に記載の電子デバイスであって、前記雑音抑圧装置が、
周波数領域変換器と、
雑音推定器及び適応雑音抑圧制御装置と、
マルチチャネル雑音抑圧点と、
時間領域変換器と、を備えた電子デバイス。
【請求項１０】
請求項７に記載の電子デバイスであって、前記エコー及び雑音の適応制御システムが更に、雑音抑圧及びエコーキャンセルの前記命令を、
前記背景雑音を少なくとも一つのしきい値と比較する工程と、
前記背景雑音が前記少なくとも一つのしきい値を下回る場合に前記信号に対して雑音抑圧に先立ちエコーキャンセルを行う工程と、
前記背景雑音が前記少なくとも一つのしきい値を上回る場合に前記信号に対してエコーキャンセルに先立ち雑音抑圧を行う工程と、によって適応的に判定するよう構成された電子デバイス。
【請求項１１】
請求項１０に記載の電子デバイスであって、前記エコー及び雑音の適応制御システムが更に、雑音抑圧及びエコーキャンセルの前記命令を、
前記背景雑音が前記少なくとも一つのしきい値の第１のしきい値を下回る場合に前記信号に対して雑音抑圧に先立ちエコーキャンセルを行う工程と、
前記背景雑音が前記少なくとも一つのしきい値の第２のしきい値を上回る場合に前記信号に対してエコーキャンセルに先立ち雑音抑圧を行う工程と、によって適応的に判定するよう構成された電子デバイス。
【発明の詳細な説明】
【技術分野】
【０００１】
本開示はエコー及び雑音の適応制御の為の方法及び装置を、特には、雑音の状況に基づいて雑音抑圧及びエコーキャンセルを再構成する方法及び装置に関する。
【背景技術】
【０００２】
現在、通信装置はさまざまな環境で用いられており、これらの環境の雑音レベルはさまざまである。例えば、移動電話を、オフィス、遊園地、スポーツイベント、パーティー、車、その他の所などで用いることがある。別の例としては、従来の電話を、オフィスや、工事現場や、家や、その他の所などで用いることがある。これらの異なった環境は雑音レベルが異なるので、これらの異なる雑音レベルにより通信が困難になるという問題が引き起こされる。よって、通信を向上させる為に、通信装置に雑音抑圧を用いることがある。これが更に、最良のコミュニケーション品質を得る為に、雑音抑圧の適正な量を判定するという問題を生む。
【０００３】
多くの通信装置が拡声器を備えていたりハンズフリー動作ができるようスピーカーホン又はカーキットを利用していたりすることにより起きる別の問題もある。音響エコーによって通信装置で通信した音声のエコーがユーザに聞こえてしまうという問題が引き起こされる。このエコーは、スピーカにより出力された音声を捕らえる通信装置のマイクロホンにより引き起こされ、これにより、通信装置は、初め発信者が送った音声をその発信者に再送してしまう。このエコーは、そのエコーの大きさと、そのエコーが発信者に聞こえる時間についての時間遅延とによって、音声通信にひどい混乱を招きかねない。このエコーの問題を克服する為には適応エコーキャンセラを使用し得る。残念なことに、エコーキャンセルの性能は、近隣の環境騒音や、ダブルトークなどの近隣の発話の有無に大きく影響を受ける。この性能は、雑音のある環境で用いるには次善であり、雑音のある環境でダブルトークも起きているときには効果がないこともある。その上、エコーキャンセルと共に雑音抑圧を使用することにより、更なる問題が引き起こされる。これらの問題が引き起こされるのは、雑音抑圧から結果として生じた信号がエコーキャンセルの効率の低下を招く恐れがあるからである。更に、雑音のある環境でのエコーキャンセルは、雑音抑圧に先立って行われると、非効率となる恐れもある。
【発明の開示】
【発明が解決しようとする課題】
【０００４】
よって、エコー及び雑音の適応制御の為の方法及び装置が必要とされている。
【課題を解決するための手段】
【０００５】
本発明は、エコー及び雑音の適応制御の為の方法及び装置を提供する。ある実施形態に係り、本発明が電子デバイスを提供する。この電子デバイスには、受信信号を受信するよう構成された音声入力と、出力信号を出力するよう構成された音声出力と、送信信号を送信するよう構成されたトランシーバと、これら音声入力と音声出力とトランシーバとに結合されたエコー及び雑音の適応制御システムとを搭載可能である。このエコー及び雑音の適応制御システムには、エコーキャンセラと雑音抑圧装置とを搭載できる。このエコー及び雑音の適応制御システムは、エコーキャンセル及び雑音抑圧の命令を、所望の信号を生成する為に、受信信号の所定の量の雑音に基づいて適応的に判定するよう構成可能である。このエコー及び雑音の適応制御システムを更に、所望の信号をトランシーバに送るよう構成することもできる。
【０００６】
エコーキャンセラには、最小二乗平均（ＬＭＳ）適応フィルタ及びダブルトーク検出器
と、減算即ちキャンセル点とを搭載できる。雑音抑圧装置には、周波数領域変換器と、雑音推定器及び抑圧制御と、マルチチャネル雑音抑圧点と、時間領域変換器とを搭載可能である。更に、このエコー及び雑音の適応制御システムが、雑音抑圧及びエコーキャンセルの命令を、背景雑音を少なくとも一つのしきい値と比較することと、背景雑音がその少なくとも一つのしきい値を下回る場合に信号に対して雑音抑圧に先立ちエコーキャンセルを行うことと、背景雑音がその少なくとも一つのしきい値を上回る場合に信号に対してエコーキャンセルに先立ち雑音抑圧を行うこととにより、適応的に判定するよう構成可能である。
【０００７】
その上、このエコー及び雑音の適応制御システムが、雑音抑圧及びエコーキャンセルの命令を、背景雑音が少なくとも一つのしきい値の第１のしきい値を下回る場合に信号に対して雑音抑圧に先立ちエコーキャンセルを行うことと、背景雑音が少なくとも一つのしきい値の第２のしきい値を上回る場合に信号に対してエコーキャンセルに先立ち雑音抑圧を行うこととにより、適応的に判定するよう構成可能である。この第２のしきい値が、エコーキャンセルにおける雑音抑圧の非線形効果の損失より環境騒音を抑圧することの利益が重要であるとき、雑音しきい値に基づいて判定される。第１のしきい値が、環境騒音を雑音抑圧する損失よりエコーキャンセルにおける雑音抑圧の非線形効果の利益が重要であるとき、雑音しきい値に基づいて判定される。例えば、発振の切り換えを回避する為のあるヒステリシスゾーンを作る為に、第２のしきい値が第１のしきい値より大きくてもよい。このエコー及び雑音の適応制御システムを更に、エコーキャンセル及び雑音抑圧の現在の命令を示す為に標識を設定するよう構成できる。電子デバイスの音声入力で所望の入力も音響エコーも受信されなかったとき、雑音の量は推定され平滑化された雑音レベルに基づいたものでよい。
【発明を実施するための最良の形態】
【０００８】
本発明の実施形態が以下の図に関して記載され、これらの図では同一の数字が同一の要素を指定している。
図１は別の実施形態に係る通信装置１００の模範的なブロック図である。この通信装置１００は、セルラー電話などの移動通信装置でもよいし、電話機や、パーソナルコンピュータや、携帯情報端末や、通信信号を送受信する能力があるその他の装置などでもよい。通信装置１００には、音声出力１３０と、音声入力１４０と、エコー及び雑音の適応制御システム１１０と、制御装置１２０とを搭載可能である。通信装置１００には更に、ボコーダ１５０とトランシーバ１６０とを搭載してもよい。このトランシーバ１６０には、送信機及び／又は受信機を搭載してよい。音声入力１４０には、マイクロホンや、付属のスピーカーホンや、ヘッドセットや、カーキットや、その他の音声入力装置などを搭載可能である。音声出力１３０には、スピーカや、変換器や、付属のスピーカーホンや、ヘッドセットや、カーキットや、その他の音声出力装置などを搭載可能である。これら構成要素の全て又は幾つかを制御装置１２０内部に備えていてよい。更に、これら構成要素の全て又は幾つかをハードウェア又はソフトウェアとして実施してよい。
【０００９】
動作中、音声出力１３０が出力音響信号を生成できる。音声入力１４０が発話などの入力音響信号を受信できる。入力音響信号には、所望の信号成分と、雑音信号成分と、エコー信号成分とが含まれうる。制御装置１２０は通信装置１００の動作を制御できる。例えば、制御装置１２０は、エコー及び雑音の適応制御システム１１０に指令信号を送って、エコー及び雑音の適応制御システム１１０の動作を、可能にも不能にもでき、制御もできる。ボコーダ１５０を使用して音声ストリームを圧縮も減圧もでき、これにより、送信信号の帯域幅及び／又はデータ速度を低減させる。このボコーダ１５０は、用いられた通信装置のタイプによっては通信装置１００の動作に必要ない。トランシーバ１６０が、ネットワークの中の信号を送受信でき、このネットワークとは例えば、無線ネットワークや、地上ネットワークや、広域通信網や、その他の通信ネットワークなどである。例えば、ト
ランシーバ１６０を無線の電話機又は有線の電話機に適用可能である。トランシーバ１６０を、ＶｏＩＰ（ｖｏｉｃｅ  ｏｖｅｒ  ＩＰ）や、コードレス電話や、無線電話や、スピーカーホンが付属した電話や、その他の通信装置などに使用できる。
【００１０】
ある実施形態に係り、エコー及び雑音の適応制御システム１１０が、信号のエコー及び雑音を適応的に取り除く又は低減できる。例えば、エコー及び雑音の適応制御システム１１０が、音声入力１４０で受信した音響信号のエコー及び雑音を適応的に取り除く又は低減させることができる。エコー及び雑音の適応制御システム１１０は、フレームベース信号や、サンプル信号や、その他のタイプの信号などに作用する。
【００１１】
関連の実施形態に係り、エコー及び雑音の適応制御システム１１０が、通信装置１００への入力１４０の信号を受信し、その信号の背景雑音を判定し、その信号のその背景雑音に基づいて雑音抑圧及びエコーキャンセルの命令を適応的に判定できる。エコー及び雑音の適応制御システム１１０が、雑音抑圧及びエコーキャンセルの命令を適応的に判定するには、背景雑音を少なくとも一つのしきい値と比較し、背景雑音がその少なくとも一つのしきい値を下回る場合にこの信号に対して雑音抑圧に先立ちエコーキャンセルを行い、背景雑音がその少なくとも一つのしきい値を上回る場合にこの信号に対してエコーキャンセルに先立ち雑音抑圧を行えばよい。この背景雑音は、通信装置１００の入力１４０で所望の入力もエコーも受信されなかったとき、推定され平滑化された雑音レベルに基づくものでよい。更に、エコー及び雑音の適応制御システム１１０は、雑音抑圧及びエコーキャンセルの命令を適応的に判定する為に、背景雑音が少なくとも一つのしきい値の第１のしきい値を下回る場合にこの信号に対して雑音抑圧に先立ちエコーキャンセルを行い、背景雑音が少なくとも一つのしきい値の第２のしきい値を上回る場合にこの信号に対してエコーキャンセルに先立ち雑音抑圧を行ってもよい。第２のしきい値を、エコーキャンセルにおける雑音抑圧の非線形効果の損失より環境騒音を抑圧することの利益が重要であるとき、ある雑音しきい値に基づいて判定できる。第１のしきい値を、環境騒音を抑圧することの利益よりエコーキャンセルにおける雑音抑圧の非線形効果の損失が重要であるとき、ある雑音しきい値に基づいて判定できる。例えば、発振の切り換えを回避する為にヒステリシスゾーンを作る為に、第２のしきい値を第１のしきい値より大きくしてもよい。エコー及び雑音の適応制御システム１１０は更に、エコーキャンセル及び雑音抑圧の現在の命令を示すよう標識を設定することもできる。
【００１２】
別の実施形態に係り、エコー及び雑音の適応制御システム１１０が、移動通信装置への入力１４０で音響信号を受信し、この音響信号には、発話成分と、エコー成分と、雑音成分とが含まれており、エコー及び雑音の適応制御システム１１０が、この音響信号の雑音成分を得て、その雑音成分を少なくとも一つのしきい値と比較し、この雑音成分が少なくとも一つのしきい値を下回る場合には、所望の信号を得る為に音響信号に対して雑音抑圧に先立ちエコーキャンセルを行うようエコーキャンセル及び雑音抑圧の命令を構成し、この雑音成分が少なくとも一つのしきい値を上回る場合には、所望の信号を得てその所望の信号を送信する為に音響信号に対してエコーキャンセルに先立ち雑音抑圧を行うようエコーキャンセル及び雑音抑圧の命令を構成する。エコー及び雑音の適応制御システム１１０は更に、エコーキャンセル及び雑音抑圧の現在の命令を示すよう標識を設定できる。
【００１３】
図２は、関連の実施形態に係るエコー及び雑音の適応制御システム１１０の模範的なブロック図である。このエコー及び雑音の適応制御システム１１０には、エコー及び雑音の適応制御システムの制御装置２１０と、エコーキャンセラ２２０と、雑音抑圧装置２３０とを搭載可能である。動作中、このエコー及び雑音の適応制御システムの制御装置２１０が、エコー及び雑音の適応制御システム１１０の動作を制御する。例えば、エコー及び雑音の適応制御システムの制御装置２１０が、エコーキャンセラ２２０と雑音抑圧装置２３０とへの信号群のルーティングを制御して、エコーキャンセル及び雑音抑圧の命令を適応
的に修正する。エコーキャンセラ２２０が、音声入力１４０により受信した信号の音響エコーを適応的に取り除く及び／又は低減させることができる。雑音抑圧装置２３０が、音声入力１４０により受信した信号の背景雑音を適応的に取り除く及び／又は低減させることができる。その後、エコー及び雑音の適応制御システムの制御装置２１０が、結果として生じたエコーキャンセル済みかつ雑音抑圧済みの所望の信号を取り出し、それを送信の為にトランシーバ１６０へと送る。
【００１４】
図３は、関連の実施形態に係るエコーキャンセラ２２０の模範的なブロック図である。このエコーキャンセラ２２０には、最小二乗平均（ＬＭＳ）適応制御及びダブルトーク検出器３１０と、適応フィルタ３２０と、キャンセル点３３０とを搭載可能である。動作中、このＬＭＳ適応制御及びダブルトーク検出器３１０が、適応フィルタ３２０の制御を、入力信号３４０とエコー残留信号とに基づいて、且つ、トランシーバ１６０から入力３５０で受信された信号に基づいて行うことができる。このエコー残留信号は、入力３４０の信号エネルギーと、キャンセル点３３０通過後のエコーキャンセル済み信号の信号エネルギーとに基づいている。このキャンセル点３３０は、入力３４０の信号から適応フィルタ３２０の出力を引いてエコーキャンセル済み信号を得ることができる。
【００１５】
図４は、関連の実施形態に係る雑音抑圧装置２３０の模範的なブロック図である。この雑音抑圧装置２３０には、周波数領域変換器４１０と、チャネル雑音推定及び適応抑圧制御ブロック４２０と、マルチチャネル雑音抑圧点４３０と、時間領域変換器４４０とを搭載可能である。動作中、雑音抑圧装置２３０が、所望の信号の部分と不要な信号の部分とを含む信号を受信する可能性がある。例えば、この信号には、発話と雑音とが含まれうる。周波数領域変換器４１０がこの入力信号を、時間領域から周波数領域へと、例えば、高速フーリエ変換（ＦＦＴ）を用いて、変換できる。チャネル雑音推定及び抑圧制御ブロック４２０には、有音無音検出（ＶＡＤ）を搭載可能である。これは、入力信号に基づいて雑音推定を生成しマルチチャネル雑音抑圧点４３０を制御して、異なる周波数チャネルの環境騒音を適応的に且つ選択的に抑圧する。出力信号を生成する為に、時間領域変換器４４０が雑音抑圧済みの信号を周波数領域から時間領域へと変換する。もちろん、不要な信号の部分を取り除く又は低減させる為の雑音の推定及び抑圧も、時間領域で実行可能である。
【００１６】
図５は、別の実施形態に係るエコー及び雑音の適応制御システム１１０の動作を図示する模範的なフローチャート５００である。このフローチャートが工程５０５で開始する。工程５１０では、エコー及び雑音の適応制御システム１１０が、エコーキャンセラ２２０と、雑音抑圧装置２３０と、エコーキャンセラ及び雑音抑圧の処理の初期命令とを初期化する。例えば、エコー及び雑音の適応制御システム１１０が、雑音抑圧及びエコーキャンセルの現在の命令を示すようフラグなどの標識を設定できる。ある実施形態に係り、この命令が初めは低雑音の命令として設定され、エコーキャンセルが雑音抑圧よりも前に行われる。この命令が低雑音の環境では有用なのは、雑音抑圧が、エコーキャンセルに有害な影響をもたらす非線形処理だからである。しかし、高雑音の環境では、この有害な影響より雑音抑圧の利益が重要である。よって、この命令は高雑音の環境では逆になる。工程５１５では、エコー及び雑音の適応制御システム１１０が、雑音抑圧装置２３０により判定された現在の合計雑音レベルを、例えば、全て又は幾つかの周波数チャネルの雑音信号エネルギーを合計することにより、得ることができる。更に、この合計雑音エネルギーＴＮの平滑化を、より滑らかな動作の為に雑音レベルをローパスフィルタリングすることに基づいて行うことができる。工程５２０では、エコー及び雑音の適応制御システム１１０が雑音抑圧及びエコーキャンセルの現在の命令を判定する。例えば、この命令を、工程５１０で設定した標識に基づいて判定できる。エコー及び雑音の適応制御システム１１０が、この命令を低雑音の命令だと判定した場合、工程５２５で、エコー及び雑音の適応制御システム１１０が、合計雑音エネルギーが高雑音しきい値ＴＨＩＧＨより大きい又はこれと
等しいかを判定する。大きくない又は等しくない場合、エコー及び雑音の適応制御システム１１０が現在の低雑音状態を保ち、工程５１５のプロセスを続行する。大きい又は等しい場合、工程５３０で、エコー及び雑音の適応制御システム１１０が高雑音設定に切り換わる。例えば、エコー及び雑音の適応制御システム１１０を高雑音設定に切り換えるには、図６に図示されているように、着信信号をまず雑音抑圧し、それから雑音抑圧済みの信号をエコーキャンセリングする。工程５３５で、エコー及び雑音の適応制御システム１１０が、高雑音設定を示すよう標識又はフラグを設定し、工程５１５に戻る。
【００１７】
工程５２０では、エコー及び雑音の適応制御システム１１０が、現在の命令が高雑音の命令だと判定した場合、工程５４０で、エコー及び雑音の適応制御システム１１０が、合計雑音エネルギーが低雑音しきい値ＴＬＯＷ以下かを判定する。低雑音しきい値は高雑音しきい値に等しくてもよいしこれ未満でもよい。例えば、判定を簡略化する為に低雑音しきい値と高雑音しきい値とが等しくてもよい。交互に、システムの安定性をよりよくする為に低雑音しきい値と高雑音しきい値とが異なってもよい。低雑音しきい値と高雑音しきい値の両方が、これらの最良の値を判定する実験に基づいて判定されてもよい。合計雑音エネルギーが低雑音しきい値以下でない場合、エコー及び雑音の適応制御システム１１０が現在の高雑音状態を保ち、工程５１５のプロセスを続行する。工程５４０で、合計雑音エネルギーが低雑音しきい値以下である場合、工程５４５で、エコー及び雑音の適応制御システム１１０が低雑音設定に切り換わる。例えば、エコー及び雑音の適応制御システム１１０を低雑音設定に切り換えるには、図７に図示されているように、着信信号をまずエコーキャンセリングし、それからエコーキャンセル済み信号を雑音抑圧する。工程５５０で、エコー及び雑音の適応制御システム１１０が、低雑音設定を示すよう標識又はフラグを設定し、工程５１５に戻る。
【００１８】
本発明の方法を、好ましくはプログラム可能なプロセッサ上で実施する。しかし、制御装置１２０及び／又はエコー及び雑音の適応制御システム１１０及び／又は通信装置１００のその他の構成要素は、汎用コンピュータ又は専用コンピュータや、プログラムされたマイクロプロセッサ又はマイクロコントローラ及び周辺の集積回路要素群や、ＡＳＩＣ又は他の集積回路や、個別の要素の回路などのハードウェアの電子回路又は論理回路や、ＰＬＤやＰＬＡやＦＰＧＡやＰＡＬなどのプログラム可能論理回路等で実施してよい。概して、本発明のプロセッサの機能を実施するにあたって、本図に示したフローチャートを実施する能力がある有限オートマトンが備わっている装置を使用すればよい。
【００１９】
本発明はその特殊な実施形態により記載されたが、多くの、代替物と、修正と、変形とが当業者には明白であることが明らかである。例えば、本実施形態の種々の構成要素が、他の実施形態では、交換されたり、付け加えられたり、代用されたりする。更に、各図の要素の全てを開示の実施形態の動作に必要とするわけではない。例えば、開示の実施形態の当業者は、独立請求項の要素を単純に使うことにより本発明を作ることも使用することもできる。従って、本発明の好適な実施形態は、本明細書で述べられたように、実例となるよう意図されており、制限することは意図されていない。本発明の精神及び範囲から逸脱することなく、種々の変更がなされうる。
【図面の簡単な説明】
【００２０】
【図１】ある実施形態に係る通信装置の模範的なブロック図。
【図２】関連の実施形態に係るエコー及び雑音の適応制御システムの模範的なブロック図。
【図３】関連の実施形態に係るエコーキャンセラの模範的なブロック図。
【図４】関連の実施形態に係る雑音抑圧装置の模範的なブロック図。
【図５】ある実施形態に係るエコー及び雑音の適応制御システムの動作を図示する模範的なフローチャート。
【図６】ある実施形態に係るエコー及び雑音の適応制御システムの高雑音設定の模範的なブロック図。
【図７】ある実施形態に係るエコー及び雑音の適応制御システムの低雑音設定の模範的なブロック図。
【図１】
2007518291.tif 000003
【図２】
2007518291.tif 000004
【図３】
2007518291.tif 000005
【図４】
2007518291.tif 000006
【図５】
2007518291.tif 000007
【図６】
2007518291.tif 000008
【図７】
2007518291.tif 000009
【国際調査報告】
2007518291.tif 000010
2007518291.tif 000011